(57)【特許請求の範囲】
【請求項１】
表裏２枚のシートから形成された扁平な袋であって、袋本体と、この袋本体に連続しこの袋本体が属する平面内において延びており且つ先端が開口した注入排出口とからなり、注入排出口は袋本体に比して幅が狭く、そのため、袋本体から注入排出口に移行する領域において肩部が形成されている袋において、注入排出口の左右両側の一方または双方において止め部材が延びており、この止め部材には１または複数の穴が設けられており、前記の注入排出口をこの穴に挿通することにより注入排出口を引き絞り、これにより注入排出口の内部空間を閉塞させて栓機能を奏させるかまたは注入排出口の内部空間を隘路となし内容物の細出しを行わせるようになしたことを特徴とする袋。
【請求項２】
請求項１に記載の袋において、注入排出口の左右両側に一対の止め部材が設けられており、注入排出口の基部側を一方の止め部材の穴に挿入し、注入排出口の先端側を他方の止め部材の穴に挿入するようになし、前記他方の止め部材により栓機能を奏させるとともに、前記一方の止め部材により細出しを可能とするようになしたことを特徴とする袋。
【請求項３】
表裏２枚のシートから形成された扁平な袋であって、袋本体と、この袋本体に連続しこの袋本体が属する平面内において延びており且つ先端が開口した注入排出口とからなり、注入排出口は袋本体に比して幅が狭く、そのため、袋本体から注入排出口に移行する領域において肩部が形成されている袋において、注入排出口の左右両側の一方または双方において止め部材が延びており、この止め部材の先端には、幅方向に延びるとともに少なくともその一端が開口した筒状部を有し、前記の注入排出口の先端をこの筒状部に挿入することにより注入排出口を引き絞り、これにより注入排出口の内部空間を閉塞させて栓機能を奏させるようになしたことを特徴とする袋。
【請求項４】
表裏２枚のシートから形成された扁平な袋であって、袋本体と、この袋本体に連続しこの袋本体が属する平面内において延びており且つ先端が開口した注入排出口とからなり、注入排出口は袋本体に比して幅が狭く、そのため、袋本体から注入排出口に移行する領域において肩部が形成されている袋において、注入排出口の左右両側に一対の止め部材が延びており、一方の止め部材には１または複数の穴が設けられており、他方の止め部材の先端には、幅方向に延びるとともに少なくともその一端が開口した筒状部を有し、注入排出口の基部側を前記一方の止め部材の穴に挿入し、注入排出口の先端部を前記他方の止め部材の筒状部に挿入させるようになし、前記他方の止め部材により栓機能を奏させるとともに、前記一方の止め部材により細出しを可能とするようになしたことを特徴とする袋。
【発明の詳細な説明】
【０００１】
【発明の属する技術分野】
この発明は袋に関し、特に、液体、気体、粉粒体の収納に適した袋に関する。
【０００２】
【従来の技術と発明が解決しようとする課題】
前記の種類の袋としては種々のものが提案されているが、いずれも、構造が複雑で製造コストが大であるか、または、簡単なものでは、内容物の注入や排出が容易になし得ないものがあり、また、一般に嵩高であった。
【０００３】
この発明は上記のような公知の袋の種々の欠点を同時に解消しようとするものである。
【０００４】
【課題を解決するための手段】
本発明の請求項１の袋は、表裏２枚のシートから形成された扁平な袋であって、袋本体と、この袋本体に連続しこの袋本体が属する平面内において延びており且つ先端が開口した注入排出口とからなり、注入排出口は袋本体に比して幅が狭く、そのため、袋本体から注入排出口に移行する領域において肩部が形成されている袋において、注入排出口の左右両側の一方または双方において止め部材が延びており、この止め部材には１または複数の穴が設けられており、前記の注入排出口をこの穴に挿通することにより注入排出口を引き絞り、これにより注入排出口の内部空間を閉塞させて栓機能を奏させるかまたは注入排出口の内部空間を隘路となし内容物の細出しを行わせるようになしたものである。
本発明の請求項２の袋は、請求項１に記載の袋において、注入排出口の左右両側に一対の止め部材が設けられており、注入排出口の基部側を一方の止め部材の穴に挿入し、注入排出口の先端側を他方の止め部材の穴に挿入するようになし、前記他方の止め部材により栓機能を奏させるとともに、前記一方の止め部材により細出しを可能とするようになしたものである。
【０００５】
本発明の請求項３の袋は、表裏２枚のシートから形成された扁平な袋であって、袋本体と、この袋本体に連続しこの袋本体が属する平面内において延びており且つ先端が開口した注入排出口とからなり、注入排出口は袋本体に比して幅が狭く、そのため、袋本体から注入排出口に移行する領域において肩部が形成されている袋において、注入排出口の左右両側の一方または双方において止め部材が延びており、この止め部材の先端には、幅方向に延びるとともに少なくともその一端が開口した筒状部を有し、前記の注入排出口の先端をこの筒状部に挿入することにより注入排出口を引き絞り、これにより注入排出口の内部空間を閉塞させて栓機能を奏させるようになしたものである。
【０００６】
本発明の請求項４の袋は、表裏２枚のシートから形成された扁平な袋であって、袋本体と、この袋本体に連続しこの袋本体が属する平面内において延びており且つ先端が開口した注入排出口とからなり、注入排出口は袋本体に比して幅が狭く、そのため、袋本体から注入排出口に移行する領域において肩部が形成されている袋において、注入排出口の左右両側に一対の止め部材が延びており、一方の止め部材には１または複数の穴が設けられており、他方の止め部材の先端には、幅方向に延びるとともに少なくともその一端が開口した筒状部を有し、注入排出口の基部側を前記一方の止め部材の穴に挿入し、注入排出口の先端部を前記他方の止め部材の筒状部に挿入させるようになし、前記他方の止め部材により栓機能を奏させるとともに、前記一方の止め部材により細出しを可能とするようになしたものである。
【０００７】
【作 用】
請求項１の袋は次のような作用を奏する。
【０００８】
（１）全体が扁平であり嵩が低い。
【０００９】
（２）プラスチックシートその他薄手のシートで形成されている場合には、注入排出口において表裏シートが密着している。したがって、内容物が大量且つ同時に外部へ漏出することがない。
【００１０】
（３）袋本体から注入排出口に移行する箇所において肩部を有しているので、内容物を排出するために袋本体を例えば転倒させたときに、排出されようとする内容物の一部が肩部において止まり、内容物の全体が注入排出口に集中することがないので、いわゆるブロック現象が生じない。したがって、注入排出口より円滑に排出させることができる。
【００１１】
（４）袋本体の中央を持ち注入排出口がその幅方向において円弧状に湾曲するようにすれば、注入排出口を構成する表裏シートが分離し、そこに空間が生ずる。したがって。この箇所から内容物の排出を容易に行うことができる。
【００１２】
（５）全体の幅が広く且つ扁平であるので、全体を巻いて保存することができる。
【００１３】
（６）注入排出口が袋本体より幅が狭く形成されているので、この袋に収納した内容物を他の容器に移し変える際には、注入排出口の先端を当該容器に挿入し易くて好ましい。このことは袋全体が柔らかい素材でできており、且つ、注入排出口が細長い場合には特に顕著である。
【００１４】
（７）扁平な注入排出口を手で把持する等してこれを絞り込むことにより水量の調整をすることができる。すなわち、この場合には、注入排出口はその断面形態において、多数の線状の空間が錯綜している。そして、そのうちの少なくとも１つは大気を袋内に取込むために使用することができる。したがって、袋内の内容物の外部への排出が円滑に行うことができる。また、線状空間が多数あるので、内容物が一気且つ大量に排出されることがなく、細状の内容物が前記断面全般に分散して外部へ排出される。
【００１５】
（８）注入排出口を折り畳むことにより、内容物の漏出を防止できるし、また、注入排出口を結び合わせれば、内容物の排出を完全に防止することができる。
【００１６】
（９）注入排出口を止め部材の穴に挿通することにより、注入排出口を引き絞る。この引き絞りの程度が大であって、注入排出口の内部空間が完全に閉塞される場合には、内容物の排出は完全に防止される。すなわち、この場合には、栓としての働きをする。また、注入排出口の引き絞り効果がそれ程大きくはなくても、注入排出口の内部空間は隘路となり、内容物が少量ずつ排出される（以下、これを細出しという。）。
【００１７】
（１０）この止め部材を栓として機能させるためには、注入排出口を局部的に折り畳んで嵩高となし、嵩高部分に前記注入排出口の穴を被嵌した状態で保持すればよい。
【００１８】
請求項２の袋においては、一方の止め部材により注入排出口の基部側を細出し用に絞り込むとともに、他方の止め部材により注入排出口の先端側を完全に閉塞させて栓としての働きをすることができる。
【００１９】
請求項３の袋においては、止め部材の先端に筒状の部分が設けられており、注入排出口の先端をこの筒状部に挿入することにより栓として機能させることができる。この場合にも、当該筒状部に挿入する注入排出口の先端等の箇所は、これを折り畳むことにより嵩高としておけば、当該嵩高部分を筒状部に圧入することにより栓効果が一層大きい。
【００２０】
請求項４の袋においては、一方の止め部材に設けられた穴に注入排出口の基部側を挿入するとともに、注入排出口の先端は他方の止め部材の先端に設けた筒状部に挿入する。これにより、栓としての働きをする。この栓を取り外すとともに他方の止め部材については注入排出口をその穴に挿入した状態のままで保持しておけば、細出しが可能となる。
【００２１】
【発明の実施の形態】
図１〜図１１は、この発明の第１の実施例を示す。
【００２２】
１０は袋の全体を示し、これは袋本体１２とその上方に延設された注入排出口１４とからなる。袋１０は表裏２枚のシートから形成されている。表裏シート１６，１８はその左右両側部において折り込まれてガゼット２０，２２を形成している。表裏シート１６，１８は、袋１０の長手方向のほぼ中央部であって、幅方向の左右両側において、ガゼット２０，２２を含んだ形でハの字状に溶着２４，２６されている。溶着部２４，２６の上端においては、ガゼット２０，２２が存在せず、表裏シート１６，１８が溶着されているのみである。そしてこの箇所から溶着栓２８，３０が上方に延びて、細長い注入排出口１４を形成している。注入排出口１４の上端は開口している。袋１０の上端においては、ガゼット部２０，２２を含んで表裏シート１６，１８が溶着３２，３４されている。図の左側において２つの溶着部２４，３２の間は左側の提げ手３６を構成し、図の右側において２つの溶着部２６，３４の間は右側の提げ手３８を構成している。提げ手３６は図２に示す部分４０，４２が溶着部３２により溶着されて輪奈状を成しているものであり、提げ手３８は図２における２つの部分４４，４６が溶着部３４により溶着されて輪奈状を成している。
【００２３】
４８，５０は注入排出口１４の左右両側に設けられた止め部材である。この止め部材は表裏シート１６，１８をそれぞれ左右両側の溶着部５２，５４；５６，５８において溶着するとともに、上端部６０，６２においても溶着して形成してものである。止め部材４８，５０には、その長手方向に３つの穴を直列に配したものである。穴６４は上下両端の丸穴とこれを連結する切込みからなる。
【００２４】
次に、この実施例の袋１０の注入排出口１４を閉塞する手順を説明する。
【００２５】
まず、図４に示すように、袋本体１２の内部に水等の内容物を注入する。そして、注入排出口１４を手で把持する等して上方に引き延ばす。
【００２６】
次に、図５に示すように、注入排出口１４の上端１５の近傍を、注入排出口１４の軸方向に何度か巻込んで、巻玉６６を形成する。
【００２７】
次に、図６に示すように、注入排出口１４の軸線に平行な折れ線に沿って巻玉６６を２つ折りにして嵩高部６７を作る。２つ折りに代えて、４つ折り、それ以上の折り込み等を採用すれば、嵩高部６７はさらに嵩高となって好ましい。
【００２８】
次に、図７に示すように、一方の止め部材４８を３つ折りにした状態で、注入排出口１４を止め部材４８の３つの穴６４，６４，６４に挿通する。そして、止め部材４８が注入排出口１４の基部側に位置するようにする。
【００２９】
次に、図８に示すように、他方の止め部材５０の先端側を２つ折りにして先端側の２つの穴６４，６４に注入排出口１４の先端にある塊部６７を挿通する。６７は嵩高であるので、止め部材５０の穴６４に圧入されて、この状態で保持される。これにより、袋１０の内容物である液体の漏出は完全に防止される。図９は袋１０の左右の提げ手３６，３８により袋１０を提げた状態を示す。
【００３０】
このような袋の注入排出口の閉塞状態を解除するには次のようにする。すなわち、止め部材５０を注入排出口１４の先端にある嵩高部６７からの係合を外す。そして、注入排出口１４の先端側の巻玉６６を広げて、注入排出口をその長手方向に充分に引き延ばす。この状態で、他方の止め部材４８を注入排出口１４に係合させた状態で、その屈曲状態を広げる。この状態では、止め部材４８の穴６４は注入排出口の嵩高部と係合しているわけではないので、注入排出口からの液体の排出は完全には阻止されず、少量が排出され、いわゆる細出しの状態となる。これを図１０に示す。
【００３１】
この実施例において止め部材４８，５０を用いて注入排出口を閉塞する方法はこれには限られない。例えば、図１１に示すように、２つの止め部材４８，５０の最も基部側にある穴６４，６４の双方を注入排出口１４に挿通してもよい。この場合には、注入排出口１４の先端側にある嵩高部６７は顕著に大きなものとし、塊状態が解除されないように工夫する必要がある。
【００３２】
この実施例において、止め部材４８，５０において穴６４を複数設けた理由は次のとおりである。すなわち、注入排出口１４を図５に示すようにその長手方向に折り畳む場合には、１度のみ折り畳む場合や、多数回折り畳む場合がある。この結果、折り畳まれた注入排出口１４の長さは様々である。注入排出口１４が長い状態の場合には、止め部材４８，５０の先端側にある穴６４または中間にある穴６４を用いるのが好適である。これに対して、折り畳まれた注入排出口１４の長さが比較的短い場合には、止め部材４８，５０の基部側の穴または中間の穴を用いるのが好ましい。
【００３３】
図１２、図１３はこの発明の他の実施例を示す。前記の実施例との相違は、止め部材４８が１つのみ設けられている点である。
【００３４】
この場合に、注入排出口を閉塞するには図１３１３に示すようにする。すなわち、止め部材４８をＳ字状に屈曲させて先端を折り畳んだ注入排出口１４が、止め部材４８の３つの穴６４，６４，６４を通過する。そして、先端の穴６４は注入排出口１４の先端にある嵩高部６７に係合する。
【００３５】
前記２つの実施例においては、本体に比べて細幅の注入排出口１４が袋本体の幅方向の中央部に設けられていたが、これに代えて、図１４に示すように、袋本体の一方側に変位して注入排出口１４を設けてもよい。この場合、止め部材を有していない。
【００３６】
図１５〜図１８には他の実施例を示す。
【００３７】
この実施例においては、止め部材４８，５０の先端に袋の幅方向に延びる筒状部７０，７２が形成されている。この筒状部の両端は開口している。しかし、これに代えて、その一方を閉塞しておいてもよい。この止め部材４８，５０はその長手方向の中央部において前記第１の実施例と同様の穴６４が１つ設けられている。
【００３８】
この実施例の袋の注入排出口を閉塞するには次のようにする。すなわち、注入排出口１４の先端側を前記実施例のとおりに折り畳んで嵩高部６７を形成する。そして、例えば、まず、右側の注入排出口５０の穴６４に前記嵩高部６７を挿通して、止め部材５０を注入排出口１４の基部側にもたらす。続いて、他方の止め部材４８の穴６４を同様に注入排出口１４に挿通してその基部にもたらす。
【００３９】
次に、図１８に示すように、最初に注入排出口１４に係合させた右側の止め部材５０の先端にある筒状部７２を注入排出口１４先端の嵩高部６７に圧入する。嵩高部６７においては注入排出口１４が多重的に折り畳まれておりこの箇所が筒状部７２に圧入されることにより圧縮されるので、この箇所におけるシール効果は絶大である。このようにして、嵩高部６７と筒状部７２との係合により袋本体に対する栓としての働きが行われる。袋内の内容物を外部に排出する場合には、この栓を外して、注入排出口１４を長手方向に充分に展開させる。この状態においても、注入排出口１４の基部側は２つの止め部材４８，５０の穴６４を通過しているので、隘路を形成している。したがって、注入排出口１４を通って少量の水しか外部に排出されず、いわゆる細出しの状態となる。
【００４０】
この実施例においては、例えば、止め部材４８，５０のうち一方のみを使用することもできる。すなわち、例えば止め部材４８を使用する場合には、その穴６４を注入排出口１４の基部側に挿通し、その止め部材４８の先端にある筒状部７０を注入排出口１４の先端に設けた嵩高部６７に圧入する。
【００４１】
このように、前記の諸々の実施例においては、袋内の液体の排出量の調整は水の細出しによって行う。この場合には、注入排出口は長手方向には折り畳まず、長手方向の軸線に沿って折り畳む。これに対して、栓として利用する場合には、注入排出口の先端を軸方向に数回折り畳んでおき、このように折り畳まれたものを幅方向にさらに折り畳むことにより嵩高な多重折り畳み体を形成する。袋内の液体はこのような多重折り畳み体の箇所を通過することは極めて困難であるので栓としての働きをする。しかも、この多重折り畳み体を止め部材に設けた穴６４または筒状部に圧入することにより、内容物排出に対するシール効果は一層大きなものとなる。
【００４２】
【発明の効果】
請求項１の袋においては、「作用」の項において述べた種々の効果を奏する。また、注入排出口を完全に閉塞して内容物の漏出を完全に防止することができる。また、注入排出口の内部空間を隘路となし、これを介して内容物の少量の排出すなわち細出しを可能とすることもできる。
請求項２の袋においては、注入排出口の先端側において内容物の漏出を完全に防止するとともに、その基部側において隘路を形成し細出しを可能とする。すなわち、先端側と止め部材の穴との係合を取り外し注入排出口を充分に引き延ばした状態において他方の止め部材が注入排出口の基部側と係合しているので、この箇所を隘路となし、細出しが可能となるのである。
【００４３】
請求項３の袋においては、止め部材の先端に筒状部を設け、注入排出口の先端をこの筒状部に圧入することになるので、栓としての効果が一層大きい。
【００４４】
請求項４においては、一方では注入排出口に対する栓として働き、他方では細出しを可能とする。したがって、内容物を排出するときには、栓を解除し、細出しすることが可能となる。
【図面の簡単な説明】
【図１】この発明の一実施例にかかる袋の扁平な状態を示す斜視図。
【図２】前図のＩＩ−ＩＩ線断面図。
【図３】図１のＩＩＩ−ＩＩＩ線断面図。
【図４】前記の袋の注入排出口を閉塞する過程の第１工程として注入排出口を引き延ばした状態を示す斜視図。
【図５】前図に続く工程として注入排出口の先端側を軸方向に数回折り畳んだ状態を示す前図と同様の斜視図。
【図６】前図に続く工程として前図の巻玉を軸方向の線に沿って折り畳んで嵩高部を形成した状態を示す斜視図。
【図７】前図に続く工程として折り畳まれた注入排出口に一方の止め部材を係合させた状態の前図同様の斜視図。
【図８】前図に続く工程として注入排出口に他方の止め部材を係合させた状態を示す斜視図。
【図９】この袋の手提げ状態を示す斜視図。
【図１０】この袋から内容物を細出ししている状態を示す斜視図。
【図１１】この袋の注入排出口の他の閉塞方法を示す斜視図。
【図１２】この発明の他の実施例を示す図１と同様の斜視図。
【図１３】前図の袋の注入排出口を閉塞した状態を示す斜視図。
【図１４】この発明の他の実施例を示す図１と同様の斜視図。
【図１５】この発明のさらに他の実施例を示す図１と同様の斜視図。
【図１６】前図のＸＶＩ−ＸＶＩ線断面図。
【図１７】この袋において注入排出口を閉塞する過程における第１工程を示す斜視図。
【図１８】前図に続く工程を示す前図と同様の斜視図。
【符号の説明】
１０ 袋
１２ 袋本体
１４ 注入排出口
１６ 表シート
１８ 裏シート
２５ 肩部
４８ 止め部材
５０ 止め部材
６４ 穴
７０ 筒状部
７２ 筒状部
【図１】
0003735740.tif 000002
【図２】
0003735740.tif 000003
【図３】
0003735740.tif 000004
【図４】
0003735740.tif 000005
【図５】
0003735740.tif 000006
【図６】
0003735740.tif 000007
【図７】
0003735740.tif 000008
【図８】
0003735740.tif 000009
【図９】
0003735740.tif 000010
【図１０】
0003735740.tif 000011
【図１１】
0003735740.tif 000012
【図１２】
0003735740.tif 000013
【図１３】
0003735740.tif 000014
【図１４】
0003735740.tif 000015
【図１５】
0003735740.tif 000016
【図１６】
0003735740.tif 000017
【図１７】
0003735740.tif 000018
【図１８】
0003735740.tif 000019